(57)【要約】      （修正有）【課題】建物内のスプリンクラー設備等に消火用水を供給するために建物外に立設してなる送水口装置であって、夜間に火災が発生した際に、その設置位置が容易に視認することができ、消火活動が円滑に行える送水口装置を提供する。【解決手段】建物外に立設され、その下端を建物内のスプリンクラー設備等に配管を通じて接続している管体１と、管体１の上端に一体に設けられ、その前面に消防ホースの連結用送水口３を設けている中空頭部２とを備えた送水口装置Ａにおいて、管体１及び中空頭部２、又は、中空頭部２のみに蓄光塗料を塗布して、夜間時にこの塗布層５からの発光によって送水口装置Ａの設置位置を素早く認識させ、送水口３に対する消防ホースの接続作業等を迅速に行える。【選択図】図１
2015042829.tif 000002
【特許請求の範囲】
【請求項１】
建物外に立設され、その下端を建物内のスプリンクラー設備等に配管を通じて接続している管体と、この管体の上端に一体に設けられ、その前面に消防ホースの連結用送水口を設けている中空頭部とを備えた送水口装置からなる消火用送水装置であって、送水口装置の上記管体及び中空頭部の表面に蓄光塗料を塗布していることを特徴とする消火用送水装置。
【請求項２】
送水口装置における中空頭部のみに蓄光塗料を塗布していることを特徴とする請求項１に記載の消火用送水装置。
【請求項３】
中空頭部に設けている消防ホース連結用送水口のみに蓄光塗料を塗布していることを特徴とする請求項１又は請求項２に記載の消火用送水装置。
【請求項４】
建物やトンネルの壁面に設置される格納箱内に、基端を給水栓弁に接続し、先端にノズルを取付けている断面円形のホースを引き出し可能に収納していると共に、格納箱の前面開口部を扉によって開閉自在に閉止してなる消火装置からなる消火用送水装置において、格納箱の扉を含む前面に蓄光塗料を塗布していることを特徴とする消火用送水装置。
【請求項５】
格納箱の箱枠前端面のみに蓄光塗料を塗布していることを特徴する請求項４に記載の消火用送水装置。
【請求項６】
格納室に収納しているホースに蓄光塗料を塗布していることを特徴とする請求項４又は請求項５に記載の消火用送水装置。
【発明の詳細な説明】
【技術分野】
【０００１】
本発明は建物内のスプリンクラー設備等に消火水を供給するための送水口装置や、格納箱内に消火用ホースを収納している消火装置などの消火用送水装置に関する。
【背景技術】
【０００２】
上記送水口装置としては、例えば、特許文献１や特許文献２に記載されているような装置が知られている。この送水口装置は、建物外に立設され、その下端を建物内の上記スプリンクラー設備等に配管を通じて接続している管体と、この管体の上端に一体に設けられ、その前面等に消防ホースを接続させる送水口を有する管状の中空頭部とを備えてなり、火災発生時に消防車から引き出された消防ホースを送水口に連結し、消防車に装備しているポンプを作動させることによってポンプから送り出される水を消防ホースを通じて上記送水口から該送水口内に配設している逆止弁を開放させながら管体内に送り込み、管体の下端から上記配管を通じてスプリンクラー設備等に送水するように構成している。
【０００３】
一方、格納箱内に消火用ホースを収納している消火装置としては、例えば、特許文献３に記載されているような装置が広く知られている。この消火装置は、ビル等の建物の通路壁やトンネルの壁面に設置され、火災発生時には、格納箱の扉を開らいて消火用ホースを引き出すと共に格納箱内に設けている消火栓弁を開いてこの消火栓弁を通じて消火用ホースに水を送り込み、消火用ホースの先端ノズルから放水するように構成している。
【先行技術文献】
【特許文献】
【０００４】
【特許文献１】特開平８−４０６０号公報
【特許文献２】特開２００１−９５９３７号公報
【特許文献３】特開２００３−６２１１０号公報
【発明の概要】
【発明が解決しようとする課題】
【０００５】
しかしながら、上記送水口装置によれば、昼間においてはその設置位置を容易に視認することができて消火活動が円滑に行えるが、夜間においては、設置位置を視認することが困難な場合があり、特に、暗闇では明かりを照射しなければ、視認することができなくなる事態が発生するばかりでなく、中空頭部に設けている接続口に対する消防ホースの接続作業も円滑に行うことができず、一刻を争う消火活動に遅れが生じるといった問題点がある。
【０００６】
一方、上記格納箱内に消火用ホースを収納している消火装置においては、その前面上部の火報扉に赤い報知ランプが設けられているため、トンネル等の暗所においても位置の確認が可能であるが、報知ランプは消火装置以外の設備にも設けられているため、消火装置の格納箱であることを確実に視認することができなく、また、停電等によって消灯していると、消火装置の設置位置の視認が行えなくなるといった問題点があった。
【０００７】
本発明はこのような問題点に鑑みてなされたもので、その目的とするところは、夜間に火災が発生した際に、その設置位置を素早く視認することができて消火活動を迅速に行えるようにした送水口装置や消火装置などの消火用送水装置を提供するにある。
【課題を解決するための手段】
【０００８】
上記目的を達成するために本発明の消火用送水装置は、請求項１に記載したように、建物外に立設され、その下端を建物内のスプリンクラー設備等に配管を通じて接続している管体と、この管体の上端に一体に設けられ、その前面に消防ホースの連結用送水口を設けている中空頭部とからなる送水口装置であって、この送水口装置の上記管体及び中空頭部の表面に蓄光塗料を塗布していることを特徴とする。
【０００９】
上記消火用送水装置としての送水口装置において、請求項２に係る発明は、送水口装置における中空頭部のみに蓄光塗料を塗布していることを特徴とし、請求項３に係る発明は、中空頭部に設けている消防ホース連結用送水口のみに蓄光塗料を塗布していることを特徴とする。
【００１０】
一方、請求項４に係る発明は、建物やトンネルの壁面に設置される格納箱内に、基端を給水栓弁に接続し、先端にノズルを取付けている断面円形のホースを引き出し可能に収納していると共に、格納箱の前面開口部を扉によって開閉自在に閉止してなる消火装置からなる消火用送水装置において、格納箱の扉を含む前面に蓄光塗料を塗布していることを特徴とする。
【００１１】
また、請求項５に係る発明は、格納箱の箱枠前端面のみに蓄光塗料を塗布していることを特徴する。
【００１２】
さらに、上記請求項４又は請求項５に係る発明において、請求項６に係る発明は、格納室に収納しているホースに蓄光塗料を塗布していることを特徴とする。
【発明の効果】
【００１３】
請求項１に係る発明によれば、建物外に立設している送水口装置の表面全面に蓄光塗料を塗布しているので、夜間においてはこの蓄光塗料の塗布層の発光によって送水口装置全体を暗闇中に浮き上がった状態に鮮明に現出させて遠くからでもその設置位置を素早く確実に視認させることができ、従って、火災が発生した際には消防車をこの送水口装置の近傍位置で停止させて、消防ホースをその送水口に容易に接続させることができ、消火活動を迅速に行うことができる。また、送水口装置が通路等に立設されている場合には、夜間の通行も安全に行うことができる。
【００１４】
請求項２に係る発明によれば、送水口装置における中空頭部のみに上記蓄光塗料を塗布しているので、夜間においては、この中空頭部がその表面から発光する蓄光塗料の塗布層によって空中に浮き上がった状態となって、送水口装置の頭部であることを一目で視認させることができる。同様に、請求項３に係る発明によれば、この中空頭部に設けている消防ホース連結用送水口のみに蓄光塗料の塗布層を塗布しているので、送水口装置の送水口であることを容易に視認させることができ、火災発生時においてはこの送水口に対する消防ホースの接続作業が能率よく行うことができる。
【００１５】
請求項４に係る発明によれば、建物やトンネルの壁面に設置される格納箱内に、基端を給水栓弁に接続し、先端にノズルを取付けている断面円形のホースを引き出し可能に収納していると共に、格納箱の前面開口部を扉によって開閉自在に閉止してなる消火装置からなる消火用送水装置において、格納箱の扉を含む前面に蓄光塗料を塗布しているので、夜間の建物内や暗いトンネル内で、格納箱がその前面に塗布している蓄光塗料の塗布層からの発光によって全体を鮮明に浮き立たせて火災発生時にはこの格納箱の設置位置を遠くからでも容易に視認することができ、格納箱の扉を開放して格納箱からホースを取り出し、消火活動を円滑に行うことができる。
【００１６】
蓄光塗料は格納箱の扉の表面に塗布することなく、請求項５に記載したように格納箱の箱枠前端面のみに塗布しておいてもよく、このように構成することによって、格納箱の輪郭を暗闇に浮き出させることができ、格納箱の設置位置を明確にすることができる。また、請求項６に係る発明によれば、格納室に収納しているホースにも蓄光塗料を塗布しているので、格納箱の扉を開いた時に格納箱内に収納しているホースの巻装状態及びホースの先端に取付けているノズルを素早く視認することができ、ノズルを把持してホースを引き出す操作が迅速に行えて消火活動を円滑に行うことができる。
【図面の簡単な説明】
【００１７】
【図１】本発明消火用送水装置としての送水口装置の一部を断面した正面図。
【図２】中空頭部のみに蓄光塗料を塗布している送水口装置の正面図。
【図３】送水口のみに蓄光塗料を塗布している送水口装置の正面図。
【図４】本発明送水口装置の変形例を示す一部を断面した側面図。
【図５】暗闇で全体が発光している状態を示す簡略斜視図。
【図６】暗闇で頭部のみが発光している状態を示す簡略斜視図。
【図７】暗闇で送水口のみが発光している状態を示す簡略斜視図。
【図８】本発明消火用送水装置としての消火装置の正面図。
【図９】格納箱の箱枠前端面のみに蓄光塗料を塗布している状態の正面図。
【図１０】収納しているホースに蓄光塗料を塗布している状態の正面図。
【発明を実施するための形態】
【００１８】
本発明の具体的な実施例を図面について説明すると、図１において、送水口装置Ａは、建物外の地表面に立設され、その下端を建物内に配設しているスプリンクラー設備や消火栓設備等に配管を通じて接続させる一定高さを有する管体１と、この管体１の上端に一体に設けられ、その前面に消防ホースを連結させる送水口３を設けている中空頭部２と、この中空頭部２内における上記送水口３の背面側に設けられた逆止弁（図示せず）とを備えてなり、送水口３は開閉可能なカバー４によって閉止されている。
【００１９】
なお、管体１の上端にその下端を一体に連結、連通させている上記中空頭部２には、図１ではその正面の左右両側部に送水口３、３が設けられているが、図４に示すように上下に小間隔を存して送水口３、３を設けてなる送水口装置であってもよく、また、一カ所のみに送水口を設けた構造であってもよい。
【００２０】
上記のように構成した送水口装置Ａにおいて、上記管体１の正面には、「送水口」の文字が表記されてあり、この文字以外の管体１の表面全面と、カバー４によって閉止されている送水口２を含めて上記中空頭部２の表面全面とに蓄光顔料を配合している蓄光塗料を塗布してなる塗布層５を設けている。
【００２１】
このように、送水口装置Ａの表面全面に蓄光塗料の塗布層５を設けているので、夜間においては、図５に示すように、この蓄光塗料の塗布層５の発光によって送水口装置全体が暗闇中に浮き上がった状態に鮮明に現出して遠くからでもその設置位置を素早く確実に視認させることができ、従って、送水口装置Ａが通路等に立設されていても、この送水口装置Ａを避けながら安全に通行することができる。また、火災が発生した際にはこの送水口装置Ａの設置位置を確認しながら、その送水口３に消防ホースを円滑に接続させることができ、消火活動を迅速に行うことができる。
【００２２】
消火作業は周知のように、消防車に装備しているポンプを作動させることによってポンプから送り出される水を上記送水口装置Ａの送水口３に接続した消防ホース（図示せず）に供給し、その水圧によって逆止弁を開放させながら中空頭部２から管体１内に流動させると共に、管体１の下端から配管を通じてスプリンクラー設備等に送水することによって行われる。
【００２３】
なお、以上の実施例においては、蓄光塗料の塗布層５を送水口装置Ａの管体１と中空頭部２の表面全面とに設けているが、図２に示すように、管体１に塗布層を設けることはなく送水口２のカバー４を含めた中空頭部２の表面全面のみに蓄光塗料の塗布層５を設けおいてもよく、或いは、図３に示すように、中空頭部２の正面に設けている送水口３のみに蓄光塗料の塗布層５を設けておいてもよい。この場合、送水口３とはその開口端を閉止しているカバー４を含むものとする。
【００２４】
このように構成したので、送水口２のカバー４を含めた中空頭部２の表面全面のみに蓄光塗料の塗布層５を設けておくと、夜間においては、図６に示すように、送水口装置Ａの中空頭部がその表面から発光する蓄光塗料の塗布層５によって空中に浮き上がった状態となり、送水口３のみに蓄光塗料の塗布層５を設けておくと、夜間においては、図７に示すように、送水口２のカバー表面から発光する蓄光塗料の塗布層５によって送水口装置Ａの送水口２であることを容易に視認させることができる。
【００２５】
このような蓄光塗料の塗布層５は、上記送水口装置Ａからなる消火用送水装置に設けること以外に、ビル等の建物の通路壁やトンネルの壁面に設置されている消火用送水装置としての消火装置Ｂに設けておいてもよい。
【００２６】
図８はその実施例を示すもので、消火装置Ｂは、その正面開口部に扉11を開閉自在に設けている格納箱10と、この格納箱10内に該格納箱10の外周側から内周側に向かって多列、多層に巻装してなる断面円形の消火用ホース12（図10に示す）と、このホース12の基端を接続させている消火栓弁13と、ホース12の先端に取付けているノズル14とからなり、ノズルを把持して格納箱10内から外部に引き出すことによってホース12を内層側から外層に向かって繰り出すように構成している。
【００２７】
このように構成した消火装置Ｂにおいて、上記格納箱10における開口縁を形成している箱枠の前端面と格納箱10を開閉自在に閉止している扉11における「消火栓」と表記している文字以外の前面に蓄光塗料を塗布してなる塗布層５を設けている。なお、格納箱10の前面開口端における扉11の上方に設けている火報扉15の前面にも蓄光塗料を塗布してなる塗布層５が設けられている。
【００２８】
そして、このように構成したので、夜間の建物内や暗いトンネル内において、これらの壁面に設置されている上記格納箱10は、その前面に塗布している蓄光塗料の塗布層からの発光によってその設置位置を明確に視認させることができ、火災発生時には、扉11を開放して消火ホース12を引き出し、消火活動を円滑に行うことができる。
【００２９】
なお、上記実施例においては、蓄光塗料の塗布層５を格納箱10の扉11を含む前面に設けているが、扉11に設けることなく、図９に示すように、格納箱10の箱枠前端面のみに蓄光塗料の塗布層５を設けておいてもよい。
【００３０】
このように格納箱10の箱枠前端面のみに蓄光塗料の塗布層５を設けておくことによって格納箱11の輪郭を暗闇に浮き出させることができ、消火装置Ｂの格納箱10の設置位置を明確にすることができる。
【００３１】
また、格納箱10の前面と共に図10に示すように、格納室10内に収納しているホース12にもその全長に亘って蓄光塗料の塗布層５を塗布しておいてもよく、このように構成することによって、火災発生時に格納箱10の扉11を開放すると、ホース12の表面に塗布している蓄光塗料の塗布層５からの発光によって格納箱10内でのホース12の巻装状態およびこのホース12の基端を接続させている消火栓弁13とホース12の先端に取付けているノズル14との配設位置を明確に視認することができ、消火栓弁13の開放と共にノズル14を把持しての格納箱10内からのホース12の引き出し作業が迅速に行え、消火活動が円滑に行うことができる。
【符号の説明】
【００３２】
Ａ  送水口装置
１  管体
２  中空頭部
３  送水口
４  カバー
５  蓄光塗料の塗布層
Ｂ  消火装置
10  格納室
11  扉
12  消火用ホース
13  消火栓弁
14  ノズル
【図１】
2015042829.tif 000003
【図２】
2015042829.tif 000004
【図３】
2015042829.tif 000005
【図４】
2015042829.tif 000006
【図５】
2015042829.tif 000007
【図６】
2015042829.tif 000008
【図７】
2015042829.tif 000009
【図８】
2015042829.tif 000010
【図９】
2015042829.tif 000011
【図１０】
2015042829.tif 000012